(57)【要約】【課題】  従来のパチンコ機では、遊技球検出スイッチの配線に断線があったり、コネクタ抜けが生じたことは、検知することが出来ない。【解決手段】  メインＣＰＵ３１は、コンパレータ８４の比較結果が、始動入賞球スイッチ２１Ｓの出力電圧Ｖが基準電圧（３[Ｖ]）よりも低く、かつ、５[Ｖ]の導通検出信号が入力されている場合、パチンコ球の通過が有るものと判定する。また、コンパレータ８４の比較結果が、始動入賞球スイッチ２１Ｓの出力電圧Ｖが基準電圧よりも低く、かつ、５[Ｖ]の導通検出信号が入力されていない場合、異常を検出してパチンコ球の通過が無いものと判定する。【選択図】  図５
2005131275.tif 000002
【特許請求の範囲】
【請求項１】
遊技球の通過を検出すると遊技球通過検出信号を出力する遊技球通過検出部と、一定電圧の電源供給を受けて一定電圧の導通検出信号を出力する導通検出部とを備えて構成される遊技球検出スイッチ。
【請求項２】
遊技球の通過を検出すると出力電圧を基準電圧より低下させる遊技球通過検出手段と、この遊技球通過検出手段の出力電圧に基づいて遊技球の通過の有無を判定する判定手段とを備えて構成される遊技機において、
前記遊技球通過検出手段は、遊技球の通過を検出すると出力電圧を基準電圧より低下させることによって遊技球通過検出信号を出力する遊技球通過検出部と、一定電圧の電源供給を受けて一定電圧の導通検出信号を出力する導通検出部とを備えて構成され、
前記判定手段は、前記遊技球通過検出手段の導通検出部から一定電圧の前記導通検出信号が入力されない場合、遊技球の通過が無いものと判定する
ことを特徴とする遊技機。
【請求項３】
前記判定手段は、
前記遊技球通過検出信号の電圧を前記基準電圧と比較する電圧比較手段を備え、
前記電圧比較手段の比較結果が、前記遊技球通過検出信号の電圧が前記基準電圧よりも低いものである場合、遊技球の通過が有るものと判定し、一定電圧の前記導通検出信号が入力されない場合、遊技球の通過が無いものと判定する
ことを特徴とする請求項２に記載の遊技機。
【請求項４】
前記判定手段は、
前記電圧比較手段の比較結果が、前記遊技球通過検出信号の電圧が前記基準電圧よりも低いものであり、かつ、一定電圧の前記導通検出信号が入力される場合、遊技球の通過が有るものと判定し、
前記電圧比較手段の比較結果が、前記遊技球通過検出信号の電圧が前記基準電圧よりも高いものであり、かつ、一定電圧の前記導通検出信号が入力される場合、または、前記電圧比較手段の比較結果が、前記遊技球通過検出信号の電圧が前記基準電圧よりも低いものであり、かつ、一定電圧の前記導通検出信号が入力されない場合、遊技球の通過が無いものと判定する
ことを特徴とする請求項３に記載の遊技機。
【請求項５】
一定電圧の前記導通検出信号が入力されない場合、異常を検出したことを報知する異常報知手段を備えたことを特徴とする請求項２から請求項４のいずれか１項に記載の遊技機。
【発明の詳細な説明】
【技術分野】
【０００１】
本発明は、遊技球の通過を検出する遊技球検出スイッチ、およびこの遊技球通過検出スイッチを備えた遊技機に関するものである。
【背景技術】
【０００２】
従来、この種の遊技機では、例えば、図１に示す遊技球検出回路を用いて、一般入賞口や始動入賞口等を通過する遊技球を検出するパチンコ機がある。
【０００３】
一般入賞口や始動入賞口等には遊技球検出スイッチ１が設けられている。遊技球検出スイッチ１は、遊技球が検出されない通常時にはその抵抗値が低くなっており、電源電圧１２[Ｖ]から抵抗２に大きな電圧が印加されて、その出力電圧Ｖは５[Ｖ]になっている。従って、通常時、コンパレータ５の非反転入力端子（＋）には、抵抗３およびコンデンサ４を介して５[Ｖ]の電圧が入力されている。コンパレータ５の反転入力端子（−）には、抵抗６および抵抗７によって電源電圧１２[Ｖ]が分割されて得られる３[Ｖ]の基準電圧が印加されており、その出力端子は、抵抗８を介して電源電圧５[Ｖ]に吊り上げられていると共に、パチンコ機の遊技処理を行う図示しないマイクロコンピュータ（以下、マイコンと称する）の入力ポートに接続されている。
【０００４】
このため、コンパレータ５の非反転入力端子に５[Ｖ]の電圧が入力されている通常時には、非反転入力端子に入力される電圧が反転入力端子の基準電圧よりも高くなるため、コンパレータ５の出力電圧はハイレベルとなる。よって、マイコンの入力ポートにはハイレベルの電圧が与えられるため、マイコンは、一般入賞口や始動入賞口等における遊技球の通過は無いものと検知する。
【０００５】
また、一般入賞口や始動入賞口等を遊技球が、例えば、図２（ｂ）に示す時間ｔ７〜ｔ８の間に通過すると、遊技球検出スイッチ１はその抵抗値を高め、抵抗２に印加される電圧が小さくなって出力電圧Ｖは１[Ｖ]になる。従って、図２（ｃ）に示すように、時間ｔ７〜ｔ８の間、コンパレータ５の非反転入力端子には１[Ｖ]の電圧が入力される。このため、コンパレータ５の非反転入力端子に入力される電圧が反転入力端子の基準電圧よりも低くなるため、コンパレータ５の出力は図２（ｄ）に示すように時間ｔ７〜ｔ８の間ローレベルとなる。よって、マイコンの入力ポートにはローレベルの電圧が与えられるため、マイコンは、図２（ｅ）に示すように、時間ｔ７〜ｔ８の間、一般入賞口や始動入賞口等において遊技球の通過が有ったものと検知する。
【０００６】
このような遊技球検出回路では、遊技球の通過があった際に遊技球検出スイッチ１の出力電圧Ｖをローレベルにする構成になっている。このため、無線電波等によって遊技球検出スイッチ１を誤動作させるいわゆる電波ゴトをしようとしても、遊技球検出スイッチ１の出力電圧Ｖが通常時からハイレベルになっているため、マイコンにおける遊技球の通過判定を、不正に、遊技球の通過が有ったものとさせることは出来ない。
【０００７】
また、このような不正を防止する遊技球検出回路を備えた遊技機として、下記の特許文献１に開示されたパチンコ機もある。なお、以下の説明における括弧内の符号は、同文献で用いられている符号である。
【０００８】
このパチンコ機では、入賞があって遊技球の通過があった際には、始動口スイッチ（１７）を構成するコイル（１７０）と抵抗素子（１０５）との間の接続ノードの電位、つまり、始動口スイッチ（１７）の出力電圧がローレベルになる。この出力電圧は、インバータ（１０２ａ）および第１ポート（１０４ａ）を介してマイコン（３１）の第１入力ポートにローベル信号として与えられる。また、この際、ローレベルの出力電圧は、ツェナーダイオード（１０７）にも与えられるが、このローレベルはツェナーダイオード（１０７）のしきい値よりも低いため、インバータ（１０２ｂ）および第２ポート（１０４ｂ）を介してマイコン（３１）の第２入力ポートにもローレベル信号が与えられる。マイコン（３１）は、第１入力ポートおよび第２入力ポートにローレベル信号が入力されているのを認識すると、始動口に遊技球が通過して始動入賞があったことを検知する。
【０００９】
一方、電波ゴトが行われた場合には、始動口スイッチ（１７）の出力電圧がハイレベルになる。この出力電圧は、インバータ（１０２ａ）および第１ポート（１０４ａ）を介してマイコン（３１）の第１入力ポートにハイベル信号として与えられる。また、この際、ハイレベルの出力電圧はツェナーダイオード（１０７）のしきい値よりも高いため、インバータ（１０２ｂ）および第２ポート（１０４ｂ）を介してマイコン（３１）の第２入力ポートにもハイレベル信号が与えられる。マイコン（３１）は、第１入力ポートおよび第２入力ポートにハイレベル信号が入力されているのを認識すると、電波ゴトがあったことを検知する。
【００１０】
このため、特許文献１に記載のパチンコ機でも、電波ゴトによる不正を防止することが出来る。
【特許文献１】特開２０００−１６７２１４号公報（段落[００６８]〜[００９１]参照）
【発明の開示】
【発明が解決しようとする課題】
【００１１】
しかしながら、図１に示す遊技球検出回路を用いた上記従来のパチンコ機、および特許文献１に記載された上記従来のパチンコ機のいずれにおいても、遊技球検出スイッチの配線に断線があったり、遊技球検出スイッチと配線との間のコネクタ抜けや、この配線と回路基板との間のコネクタ抜けが生じたことは、検知することが出来ない。
【００１２】
つまり、図１に示す遊技球検出回路を用いた上記従来のパチンコ機においては、このような断線やコネクタ抜けが生じて接触不良が発生すると、図２（ａ）に示すように、遊技球検出スイッチ１へ入力される電圧が１２[Ｖ]と０[Ｖ]との間で変化する。遊技球検出スイッチ１へ入力される電圧が例えば時間ｔ１〜ｔ２，ｔ３〜ｔ４，ｔ５〜ｔ６の間で０[Ｖ]になると、コンパレータ５の非反転入力端子に入力される電圧も、図２（ｃ）に示すように同時間の間０[Ｖ]になって、反転入力端子の基準電圧よりも低くなる。このため、コンパレータ５の出力電圧は、図２（ｄ）に示すように、時間ｔ１〜ｔ２，ｔ３〜ｔ４，ｔ５〜ｔ６の間、遊技球の通過が有った時間ｔ７〜ｔ８の間と同じローレベルとなる。よって、マイコンの入力ポートには、時間ｔ１〜ｔ２，ｔ３〜ｔ４，ｔ５〜ｔ６の間ローレベルの電圧が与えられるため、マイコンは、図２（ｅ）に示すように、同時間の間、上記のような断線やコネクタ抜けが生じた場合にも、一般入賞口や始動入賞口等において遊技球の通過が有ったものと誤検知する。
【００１３】
また、特許文献１に記載された上記従来のパチンコ機においては、上記のような断線やコネクタ抜けが生じた場合、コイル（１７０）と抵抗素子（１０５）との間の接続ノードの電位がローレベルになる。この出力電圧は、インバータ（１０２ａ）および第１ポート（１０４ａ）を介してマイコン（３１）の第１入力ポートにローベル信号として与えられる。また、この際、コイル（１７０）と抵抗素子（１０５）との間の接続ノードのローレベルの電位は、ツェナーダイオード（１０７）にも与えられ、インバータ（１０２ｂ）および第２ポート（１０４ｂ）を介してマイコン（３１）の第２入力ポートにもローレベル信号が与えられる。従って、上記のような断線やコネクタ抜けが生じた場合にも、始動口に遊技球が通過した場合と同じように、マイコン（３１）の第１入力ポートおよび第２入力ポートにローレベル信号が入力される。このため、マイコン（３１）は始動口に遊技球が通過して始動入賞があったものと誤検知する。
【００１４】
このように断線やコネクタ抜けを遊技球の通過と誤検知してしまうと、入賞の事実が無いのに不当に遊技球が払い出されたり、特別図柄遊技が開始されて遊技者に有利な遊技が不当に開始されてしまう。さらには、金銭を機械に投入していないのに、不当に遊技球が貸し出されたと誤検出してしまう。
【課題を解決するための手段】
【００１５】
本発明はこのような課題を解決するためになされたもので、遊技球の通過を検出すると遊技球通過検出信号を出力する遊技球通過検出部と、一定電圧の電源供給を受けて一定電圧の導通検出信号を出力する導通検出部とを備えて、遊技球検出スイッチを構成した。
【００１６】
この構成によれば、遊技球検出スイッチは、遊技球の通過を検出すると、遊技球通過検出部によって遊技球通過検出信号を出力し、遊技球の通過が有ったことを検出する。また、遊技球通過検出スイッチの配線に断線があったり、遊技球通過検出スイッチと配線との間や、この配線と回路基板との間にコネクタ抜けが生じると、遊技球通過検出スイッチは、導通検出部による一定電圧の導通検出信号の出力を止め、異常が有ったことを検出する。
【００１７】
従って、この遊技球検出スイッチを用いて構成された遊技機は、断線やコネクタ抜けを従来のように遊技球の通過と誤検知してしまうことが無い。このため、入賞の事実が無いのに不当に遊技球が払い出されたり、特別図柄遊技が開始されて遊技者に有利な遊技が不当に開始されてしまう事態が防止される。また、金銭を機械に投入していないのに、不当に遊技球が貸し出されてしまう事態も防止される。
【００１８】
また、本発明は、遊技球の通過を検出すると出力電圧を基準電圧より低下させる遊技球通過検出手段と、この遊技球通過検出手段の出力電圧に基づいて遊技球の通過の有無を判定する判定手段とを備えて構成される遊技機において、遊技球通過検出手段は、遊技球の通過を検出すると出力電圧を基準電圧より低下させることによって遊技球通過検出信号を出力する遊技球通過検出部と、一定電圧の電源供給を受けて一定電圧の導通検出信号を出力する導通検出部とを備えて構成され、判定手段は、遊技球通過検出手段の導通検出部から一定電圧の導通検出信号が入力されない場合、遊技球の通過が無いものと判定することを特徴とする。
【００１９】
この構成によれば、遊技球通過検出手段は、遊技球の通過を検出すると、遊技球通過検出部によって出力電圧を基準電圧より低い所定電圧に低下させるため、判定手段は、この電圧低下を検出して遊技球の通過が有ったことを検知する。また、遊技球通過検出手段の配線に断線があったり、遊技球通過検出手段と配線との間や、この配線と回路基板との間にコネクタ抜けが生じると、遊技球通過検出手段の導通検出部から判定手段に一定電圧の導通検出信号が入力されなくなる。このため、判定手段は、導通検出信号の入力が無くなったことを検出して、遊技球通過検出手段の配線に断線があったか、またはコネクタ抜けがあったことを検知し、遊技球の通過が無いものと判定する。
【００２０】
従って、断線やコネクタ抜けを従来のように遊技球の通過と誤検知してしまうことが無いため、入賞の事実が無いのに不当に遊技球が払い出されたり、特別図柄遊技が開始されて遊技者に有利な遊技が不当に開始されてしまう事態が防止される。また、金銭を機械に投入していないのに、不当に遊技球が貸し出されてしまうことを検出してしまう事態も防止される。
【００２１】
また、本発明は、判定手段が、遊技球通過検出信号の電圧を基準電圧と比較する電圧比較手段を備え、電圧比較手段の比較結果が、遊技球通過検出信号の電圧が基準電圧よりも低いものである場合、遊技球の通過が有るものと判定し、一定電圧の導通検出信号が入力されない場合、遊技球の通過が無いものと判定することを特徴とする。
【００２２】
この構成によれば、判定手段は、遊技球通過検出信号の電圧を電圧比較手段によって基準電圧と比較して遊技球の通過の有無を判定すると共に、一定電圧の導通検出信号の入力の有無によって断線やコネクタ抜けの有無を判定する。
【００２３】
また、本発明は、判定手段が、電圧比較手段の比較結果が、遊技球通過検出信号の電圧が基準電圧よりも低いものであり、かつ、一定電圧の導通検出信号が入力される場合、遊技球の通過が有るものと判定し、電圧比較手段の比較結果が、遊技球通過検出信号の電圧が基準電圧よりも高いものであり、かつ、一定電圧の導通検出信号が入力される場合、または、電圧比較手段の比較結果が、遊技球通過検出信号の電圧が基準電圧よりも低いものであり、かつ、一定電圧の導通検出信号が入力されない場合、遊技球の通過が無いものと判定することを特徴とする。
【００２４】
この構成によれば、判定手段は、電圧比較手段の比較結果および導通検出信号の入力の有無を参照して遊技球通過検出手段の状態を判定するため、遊技球通過検出手段による遊技球の通過検出、および遊技球通過検出手段の通電状態による配線の断線検出やコネクタ抜け検出を確実に判定することが出来る。
【００２５】
また、本発明は、一定電圧の導通検出信号が入力されない場合、異常を検出したことを報知する異常報知手段を備えたことを特徴とする。
【００２６】
この構成によれば、配線の断線検出やコネクタ抜け検出があって異常が検出されると、異常報知手段によってその旨が報知される。このため、遊技店は、この報知によって断線やコネクタ抜けが生じていることを容易に把握できるので、即座にこれに対応することが可能になる。
【発明の効果】
【００２７】
このような本発明によれば、上記のように、断線やコネクタ抜けを従来のように遊技球の通過と誤検知してしまうことが無いため、不当に遊技球が払い出されたり、また、特別図柄遊技が不当に開始されてしまうといった事態が防止される。
【発明を実施するための最良の形態】
【００２８】
次に、本発明を実施するための最良の形態について説明する。
【００２９】
図３は、本発明による遊技機をパチンコ機に適用した一実施形態によるパチンコ機１０の正面図である。
【００３０】
パチンコ機１０の正面には遊技盤１１が設けられており、その下方には上皿１２が設けられている。上皿１２の下方右側には、レール１３を介して遊技盤１１へパチンコ球を打ち込む際に操作されるハンドル１４が設けられている。また、遊技盤１１の上方には電飾ＬＥＤ（発光ダイオード）１５ａおよび異常報知ＬＥＤ１５ｂが設けられている。
【００３１】
遊技盤１１の盤面中央には、特別図柄表示装置であるＬＣＤ（液晶表示装置）１６が設けられている。このＬＣＤ１６には、左図柄、中図柄および右図柄からなる３列の複数の特別図柄が表示され、また、これら特別図柄の背後に演出画が表示される。ＬＣＤ１６の上方には、緑色ＬＥＤおよび赤色ＬＥＤが左右に並設された普通図柄表示装置１７が設けられており、この普通図柄表示装置１７を挟んで４つのＬＥＤからなる普通始動記憶個数表示部１８が設けられている。また、ＬＣＤ１６の下側には４つのＬＥＤからなる特別始動記憶個数表示部１９が設けられており、また、ＬＣＤ１６の左右には通過孔２０が設けられている。また、ＬＣＤ１６の下方には始動入賞口２１が設けられており、始動入賞口２１の下方には大入賞口２２、その左右には一般入賞口２３が設けられている。
【００３２】
普通始動記憶個数表示部１８には通過孔２０へのパチンコ球の通過が保留玉として最大４個まで記憶され、特別始動記憶個数表示部１９には始動入賞口２１へのパチンコ球の入賞が保留玉として最大４個まで記憶される。
【００３３】
また、上記のパチンコ機１０の左側方にはカードユニット２４が設けられている。このカードユニット２４のカード挿入口２４ａにカード残高の記録されたカードが挿入され、遊技者によって所定の貸球操作が行われると、予め設定されている貸出単位額分のパチンコ球が上皿１２に貸し出される。
【００３４】
図４は、本実施形態によるパチンコ機１０の遊技動作を処理制御する電子回路の主な構成を示すブロック図である。この電子回路は、遊技処理を制御する主制御回路３０や、この主制御回路３０からの指示に従って遊技の演出を行う演出制御回路４０、賞球等の払い出しやパチンコ球の発射を制御する払出・発射制御回路６０等から構成されている。上記のカードユニット２４はこの払出・発射制御回路６０に接続されている。
【００３５】
主制御回路３０には、メインＣＰＵ３１や初期リセット回路３２、シリアル通信用ＩＣ３３といった電子部品が実装されている。また、主制御回路３０には、メインＣＰＵ３１がパチンコ機１０の遊技動作を処理制御するためのプログラムが記憶格納された図示しないメインＲＯＭや、処理制御時にデータが一時的に記憶される図示しないメインＲＡＭ（ランダムアクセスメモリ）も実装されている。初期リセット回路３２は、主制御回路３０の起動時にメインＲＡＭに記憶されている遊技状態の内容を消去するリセット信号を発する。また、シリアル通信用ＩＣ３３は、メインＣＰＵ３１から送出される制御信号を各制御回路４０，６０へシリアルに送信する。
【００３６】
主制御回路３０には、通過孔２０の内側に設けられ、パチンコ球が通過孔２０を通過するのを検知するゲートスイッチ２０Ｓや、始動入賞口２１に入賞したパチンコ球を検知する始動入賞球スイッチ２１Ｓが接続されている。また、大入賞口２２に入賞したパチンコ球を検知するカウントスイッチ２２Ｓ、大入賞口２２内部の特定領域を通過したパチンコ球を検知するＶカウントスイッチ２２Ｖ、一般入賞口２３へ入賞したパチンコ球を検知する一般入賞球スイッチ２３Ｓが接続されている。また、主制御回路３０には、アクチュエータとして、球受入口が拡張する始動入賞口ソレノイド２１ａ、扉が開閉する大入賞口ソレノイド２２ａ、大入賞口２２内部の特定領域にパチンコ球が入賞した後にパチンコ球を特定領域以外へ誘導する特定領域誘導装置３４等が接続されている。
【００３７】
上記各スイッチ２０Ｓ，２１Ｓ，２２Ｓ，２２Ｖ，２３Ｓがパチンコ球を検知すると、その検知信号は主制御回路３０のメインＣＰＵ３１に入力され、入力される検知信号に応じて、メインＣＰＵ３１は上記各アクチュエータ２１，２２，３４をそれぞれ駆動制御する。ここで、上記各スイッチ２０Ｓ，２１Ｓ，２２Ｓ，２２Ｖ，２３Ｓは、パチンコ球の通過を検出すると、出力電圧を基準電圧（本実施形態では３[Ｖ]）より低い所定電圧（本実施形態では１[Ｖ]）に低下させる遊技球通過検出手段を構成している。また、メインＣＰＵ３１は、この遊技球通過検出手段の出力電圧に基づいてパチンコ球の通過の有無を判定する判定手段を構成している。本実施形態では、この判定手段は、後述するように、遊技球通過検出手段の導通検出部から一定電圧（本実施形態では５[Ｖ]）の導通検出信号が入力されない場合、異常を検出してパチンコ球の通過が無いものと判定する。
【００３８】
演出制御回路４０は、ＬＣＤ１６における画像表示を行う画像表示制御、スピーカ４７から効果音を放音させる音制御、及び遊技状態や異常検出に応じて電飾ＬＥＤ１５ａや異常報知ＬＥＤ１５ｂの発光制御を行う。この演出制御回路４０には、サブＣＰＵ４１、プログラムＲＯＭ４２、ワークＲＡＭ４３が実装されている。サブＣＰＵ４１は、主制御回路３０から受信した制御指令の解釈や、ＶＤＰ（ビデオ・ディスプレイ・プロセッサ）４４のパラメータ設定を行う。プログラムＲＯＭ４２には、サブＣＰＵ４１がＬＣＤ１６や、スピーカ４７、電飾ＬＥＤ１５ａの各動作を処理制御するための制御プログラムが記憶格納されている。ワークＲＡＭ４３は、サブＣＰＵ４１が上記制御プログラムに従って処理制御を行う際の一時的な記憶手段となる。
【００３９】
また、演出制御回路４０には、画像データＲＯＭ４５、ＶＤＰ４４、及び初期リセット回路４６が実装されている。画像データＲＯＭ４５は、ＬＣＤ１６に表示する画像を形成するためのドットデータを記憶格納する。ＶＤＰ４４は、サブＣＰＵ４１で設定されたパラメータに応じて画像データＲＯＭ４５内のドットデータを読み込み、ＬＣＤ１６に表示するための画像データを生成する。初期リセット回路４６は、演出制御回路４０をリセットするリセット信号を発する。
【００４０】
メインＣＰＵ３１は、始動入賞口２１へパチンコ球が入賞して始動入賞が発生すると大当たり判定を行う。演出制御回路４０は、この大当たり判定の結果に対応する態様でＬＣＤ１６に特別図柄を順次停止表示させ、左図柄と右図柄とが同一図柄で揃って停止表示されるリーチ状態になると、ＬＣＤ１６に特別図柄および演出画を用いてリーチ演出を行う。
【００４１】
また、演出制御回路４０には、スピーカ４７を制御するスピーカ駆動回路、及び電飾ＬＥＤ１５ａや異常報知ＬＥＤ１５ｂを発光制御するドライブ回路５２が設けられており、サブＣＰＵ４１からスピーカ駆動回路やドライブ回路５２にそれぞれ駆動信号が出力される。
【００４２】
スピーカ駆動回路は、効果音の原信号生成部である音源ＩＣ４８と、これに接続された効果音記憶部である音源データＲＯＭ４９、及び音源ＩＣ４８から出力された音信号を増幅する増幅部であるアンプ５０と、音量出力レベルを指定する音量切換スイッチ５１とから構成されている。ドライブ回路５２は、パチンコ機１０の遊技状態に応じて電飾ＬＥＤ１５ａの発光を制御する電飾制御機能、および各スイッチ２０Ｓ，２１Ｓ，２２Ｓ，２２Ｖ，２３Ｓについての異常検出に応じて異常報知ＬＥＤ１５ｂを発光させる発光制御機能を備えている。これら電飾ＬＥＤ１５ａおよび異常報知ＬＥＤ１５ｂはサブＣＰＵ４１からの駆動信号により発光制御が行われる。
【００４３】
ここで、サブＣＰＵ４１，ドライブ回路５２および異常報知ＬＥＤ１５ｂは、各スイッチ２０Ｓ，２１Ｓ，２２Ｓ，２２Ｖ，２３Ｓへの配線が断線したり、この配線途中に設けられたコネクタの抜けがあり、各スイッチ２０Ｓ，２１Ｓ，２２Ｓ，２２Ｖ，２３Ｓから一定電圧の導通検出信号が入力されない場合、異常を検出したことを報知する異常報知手段を構成している。
【００４４】
払出・発射制御回路６０には、賞球や貸球を払い出す払出装置６１及び遊技盤１１にパチンコ球を発射する発射装置６２が接続されている。払出・発射制御回路６０は、各種入賞に応じて主制御回路３０から出力される賞球払出指令信号に応じて払出装置６１を駆動制御し、賞球を払い出させると共に、ハンドル１４の操作に応じて発射装置６２を駆動制御し、パチンコ球を発射させる。払い出される賞球は賞球カウントスイッチ６３によってカウントされ、そのカウント値は払出・発射制御回路６０および主制御基板３０に出力される。また、払出・発射制御回路６０は、カードユニット２４から出力される貸球払出指令信号に応じて払出装置６１を駆動制御し、貸球を払い出させる。払い出される貸球は貸球カウントスイッチ６４によってカウントされ、そのカウント値は払出・発射制御回路６０に出力される。
【００４５】
これら賞球カウントスイッチ６３および貸球カウントスイッチ６４は、各スイッチ２０Ｓ，２１Ｓ，２２Ｓ，２２Ｖ，２３Ｓと同様に、パチンコ球の通過を検出すると、出力電圧を基準電圧より低い所定電圧に低下させる遊技球通過検出手段を構成している。
【００４６】
図５は、始動入賞球スイッチ２１ＳからメインＣＰＵ３１までの信号伝達経路における回路構成を示している。始動入賞球スイッチ２１Ｓ以外の各スイッチ２０Ｓ，２２Ｓ，２２Ｖ，２３Ｓ，６３，６４からメインＣＰＵ３１までの信号伝達経路における回路構成も、これと同様な回路構成をしており、図示は省略する。
【００４７】
始動入賞球スイッチ２１Ｓは、パチンコ球の通過を検出するコイル２１Ｌが、コネクタ７０ａを介して一対の配線７１ａ，７１ｂの各一端間に接続されている。配線７１ａの他端は、コネクタ７０ｂを介して主制御回路３０の１２[Ｖ]の第１の供給電源に接続されており、配線７１ｂの他端は、コネクタ７０ｂを経由して主制御回路３０の抵抗８１を介して接地されている。また、一対の配線７２ａ，７２ｂは、各一端がコネクタ７０ａを介して始動入賞球スイッチ２１Ｓの内部で短絡されている。配線７２ａの他端は、コネクタ７０ｂを介して主制御回路３０の５[Ｖ]の第２の供給電源に接続されており、配線７２ｂの他端は、コネクタ７０ｂを経由してメインＣＰＵ３１の第２の入力ポート３１ｂに接続されている。
【００４８】
上記のコイル２１Ｌは、パチンコ球の通過を検出すると遊技球通過検出信号を出力する遊技球通過検出部を構成しており、始動入賞球スイッチ２１Ｓの内部の短絡部分は、５[Ｖ]の一定電圧の電源供給を受けて５[Ｖ]の一定電圧の導通検出信号を出力する導通検出部を構成している。
【００４９】
始動入賞球スイッチ２１Ｓの出力電圧Ｖは、抵抗８１と抵抗８２との接続点に現れ、コンデンサ８３は始動入賞球スイッチ２１Ｓの出力電圧Ｖに応じて充電される。従って、コンパレータ８４の非反転入力端子には、始動入賞球スイッチ２１Ｓの出力電圧Ｖが抵抗８２およびコンデンサ８３を介して入力される。コンパレータ８４の反転入力端子には、ツェナーダイオード８５によって安定化された１２[Ｖ]の電源電圧が抵抗８６，８７によって分割された３[Ｖ]の電圧が、基準電圧として与えられている。また、コンパレータ８４の出力端子は、抵抗８８を介して５[Ｖ]の電源電圧に吊り上げられていると共に、メインＣＰＵ３１の第１の入力ポート３１ａに接続されている。
【００５０】
このコンパレータ８４は、遊技球通過検出手段の出力電圧を基準電圧と比較する電圧比較手段を構成している。つまり、非反転入力端子に入力される電圧を反転入力端子に与えられている３[Ｖ]の基準電圧と比較し、非反転入力端子に入力される電圧が基準電圧よりも低い場合には出力端子にローレベル（０[Ｖ]）の信号を出力し、非反転入力端子に入力される電圧が基準電圧よりも高い場合には出力端子にハイレベル（５[Ｖ]）の信号を出力する。
【００５１】
このコンパレータ８４は、前述したメインＣＰＵ３１と共に、遊技球通過検出手段の出力電圧に基づいてパチンコ球の通過の有無を判定する判定手段を構成している。この判定手段は、コンパレータ８４の比較結果が、始動入賞球スイッチ２１Ｓの出力電圧Ｖが３[Ｖ]の基準電圧よりも低いものである場合、パチンコ球の通過が有るものと判定し、５[Ｖ]の一定電圧の導通検出信号が入力されない場合、異常を検出してパチンコ球の通過が無いものと判定する。
【００５２】
本実施形態では、判定手段は、さらに詳細にコンパレータ８４の比較結果および導通検出信号の入力の有無を参照し、パチンコ球の通過の有無を判定する。すなわち、コンパレータ８４の比較結果が、始動入賞球スイッチ２１Ｓの出力電圧Ｖが基準電圧よりも低いものであり、かつ、５[Ｖ]の一定電圧の導通検出信号が入力されている場合、パチンコ球の通過が有るものと判定する。また、コンパレータ８４の比較結果が、始動入賞球スイッチ２１Ｓの出力電圧Ｖが基準電圧よりも高いものであり、かつ、５[Ｖ]の一定電圧の導通検出信号が入力されている場合、パチンコ球の通過が無いものと判定する。さらに、コンパレータ８４の比較結果が、始動入賞球スイッチ２１Ｓの出力電圧Ｖが基準電圧よりも低いものであり、かつ、５[Ｖ]の一定電圧の導通検出信号が入力されていない場合、異常を検出してパチンコ球の通過が無いものと判定する。
【００５３】
次に、上記の構成をした本実施形態によるパチンコ機１０において、各スイッチ２０Ｓ，２１Ｓ，２２Ｓ，２２Ｖ，２３Ｓ，６３，６４によるパチンコ球の通過検出について、始動入賞球スイッチ２１Ｓを例に挙げて説明する。
【００５４】
始動入賞球スイッチ２１Ｓのコイル２１Ｌには、通常、主制御回路３０の第１の供給電源から図６（ａ）に示すように１２[Ｖ]の電圧が供給されている。また、始動入賞球スイッチ２１Ｓの短絡部分には、通常、主制御回路３０の第２の供給電源から同図（ｂ）に示すように５[Ｖ]の電圧が供給されている。メインＣＰＵ３１の第２の入力ポート３１ｂには、同図（ｂ）に示す電圧が導通検出信号としてそのまま与えられるため、通常、５[Ｖ]のハイレベルの導通検出信号が入力されている。
【００５５】
同図（ｃ）に示すように、時間ｔ１〜ｔ２および時間ｔ３〜ｔ４の間に、始動入賞口２１にパチンコ球の通過があると、始動入賞球スイッチ２１Ｓの出力電圧Ｖ、つまり、コンパレータ８４への入力電圧は、同図（ｄ）に示すように、時間ｔ１〜ｔ２および時間ｔ３〜ｔ４の間、１[Ｖ]に低下する。コンパレータ８４は、この入力電圧１[Ｖ]を基準電圧と比較し、入力電圧が基準電圧よりも低いため、同図（ｅ）に示すように、時間ｔ１〜ｔ２および時間ｔ３〜ｔ４の間、出力電圧をローレベルに低下させる。
【００５６】
メインＣＰＵ３１は、時間ｔ１〜ｔ２および時間ｔ３〜ｔ４を除く間、第１の入力ポート３１ａのハイレベルと、第２の入力ポート３１ｂのハイレベルとを検出すると、始動入賞口２１にパチンコ球の通過が無く、始動入賞が発生していないことを検知する。しかし、メインＣＰＵ３１は、時間ｔ１〜ｔ２および時間ｔ３〜ｔ４の間、第１の入力ポート３１ａのローレベルと、第２の入力ポート３１ｂのハイレベルとを検出すると、同図（ｆ）に示すように、始動入賞口２１にパチンコ球の通過が有ったことを検知する。従って、払出・発射制御回路６０を制御して払出装置６１を駆動し、この始動入賞に応じた個数のパチンコ球を上皿１２に払い出す。また、これと同時に、演出制御回路４０に特別図柄遊技の開始指令を出力し、ＬＣＤ１６に特別図柄の変動表示を開始させる。
【００５７】
また、メインＣＰＵ３１は、上記のような通常時には、配線７１ａ，ｂおよび７２ａ，ｂの断線やコネクタ７０ａ，７０ｂの抜けといった異常を検出しないため、同図（ｇ）に示すように、断線・コネクタ抜け判定を正常のままとする。
【００５８】
ここで、配線７１ａ，ｂおよび７２ａ，ｂに断線が生じて配線７１ａ，ｂおよび７２ａ，ｂに接触不良が生じたり、あるいは、コネクタ７０ａ，７０ｂに抜けが生じて、始動入賞球スイッチ２１Ｓと配線７１ａ，ｂおよび７２ａ，ｂとの間、または、配線７１ａ，ｂおよび７２ａ，ｂと主制御回路３０との間に接触不良が発生すると、始動入賞球スイッチ２１Ｓの遊技球通過検出部に第１の供給電源から入力される電圧は、図７（ａ）に示すように１２[Ｖ]と０[Ｖ]との間で変化する。また、始動入賞球スイッチ２１Ｓの導通検出部に第２の供給電源から入力される電圧は、同図（ｂ）に示すように５[Ｖ]と０[Ｖ]との間で変化する。
【００５９】
始動入賞球スイッチ２１Ｓの遊技球通過検出部へ入力される電圧が例えば時間ｔ１〜ｔ２，ｔ３〜ｔ４，ｔ５〜ｔ６の間で０[Ｖ]になると、コンパレータ８４の非反転入力端子に入力される電圧も、同図（ｄ）に示すように、時間ｔ１〜ｔ２，ｔ３〜ｔ４，ｔ５〜ｔ６の間、０[Ｖ]になる。
【００６０】
ここで、時間ｔ７〜ｔ８の間に、同図（ｃ）に示すように始動入賞口２１にパチンコ球の通過が有り、同図（ｄ）に示すように、時間ｔ７〜ｔ８の間、コンパレータ８４への入力電圧が１[Ｖ]に低下したものとする。この場合、同図（ｅ）に示すように、コンパレータ８４の出力電圧が上述したように１[Ｖ]に低下し、メインＣＰＵ３１による遊技球通過判定は、同図（ｆ）に示すように、時間ｔ７〜ｔ８の間有りになる。
【００６１】
コンパレータ８４の非反転入力端子に入力される電圧が、時間ｔ１〜ｔ２，ｔ３〜ｔ４，ｔ５〜ｔ６の間で０[Ｖ]になると、コンパレータ８４の出力電圧は、同図（ｅ）に示すように、同時間の間、遊技球の通過が有った時間ｔ７〜ｔ８の間と同じローレベルとなる。よって、メインＣＰＵ３１の第１の入力ポート３１ａには、時間ｔ１〜ｔ２，ｔ３〜ｔ４，ｔ５〜ｔ６の間、ローレベルの電圧が与えられる。また、メインＣＰＵ３１の第２の入力ポート３１ｂには、同図（ｂ）に示す電圧が導通検出信号として与えられる。よって、メインＣＰＵ３１の第２の入力ポート３１ｂには、時間ｔ１〜ｔ２，ｔ３〜ｔ４，ｔ５〜ｔ６の間、ローレベルの電圧が与えられる。
【００６２】
この結果、メインＣＰＵ３１は、時間ｔ１〜ｔ２，ｔ３〜ｔ４，ｔ５〜ｔ６の間、第１の入力ポート３１ａのローレベルと、第２の入力ポート３１ｂのローレベルとを検出すると、同図（ｇ）に示すように、同時間の間、断線・コネクタ抜け判定を異常とする。メインＣＰＵ３１は、この異常を検出すると、演出制御回路４０に異常検出信号を出力する。サブＣＰＵ４１は、この異常検出信号を入力すると、ドライブ回路５２を制御して、異常報知ＬＥＤ１５ｂを発光させて、異常が有ったことを報知する。
【００６３】
このような本実施形態によるパチンコ機１０によれば、上述したように、始動入賞球スイッチ２１Ｓの遊技球通過検出部は、パチンコ球の通過を検出すると、出力電圧Ｖを基準電圧（３[Ｖ]）より低い所定電圧（１[Ｖ]）に低下させるため、メインＣＰＵ３１は、この電圧低下を検出して始動入賞口２１にパチンコ球の通過が有ったことを検知する。また、始動入賞球スイッチ２１Ｓの配線７１ａ，ｂおよび７２ａ，ｂに断線があったり、始動入賞球スイッチ２１Ｓと配線７１ａ，ｂおよび７２ａ，ｂとの間や、この配線７１ａ，ｂおよび７２ａ，ｂと主制御回路３０との間におけるコネクタ７０ａ，７０ｂに抜けが生じると、始動入賞球スイッチ２１Ｓの導通検出部から判定手段に５[Ｖ]の導通検出信号が入力されなくなる。このため、判定手段は、この導通検出信号が入力されなくなるのを検出して、始動入賞球スイッチ２１Ｓの配線７１ａ，ｂおよび７２ａ，ｂに断線があったか、またはコネクタ７０ａ，７０ｂの抜けがあったことを検知し、パチンコ球の通過が無いものと判定する。
【００６４】
従って、本実施形態によるパチンコ機１０によれば、断線やコネクタ抜けを従来のようにパチンコ球の通過と誤検知してしまう（図２参照）ことが無いため、入賞の事実が無いのに不当にパチンコ球が払い出されたり、特別図柄遊技が開始されて遊技者に有利な遊技が不当に開始されてしまう事態が防止される。また、貸球カウントスイッチ６４についての誤検知が無くなることにより、カードをカードユニット２４に挿入していないのに、不当にパチンコ球が貸し出されたと誤検出してしまう事態も防止される。
【００６５】
また、本実施形態では、判定手段は、第１のコンパレータ８４の比較結果および導通検出信号の入力の有無を参照して始動入賞球スイッチ２１Ｓ等の遊技球通過検出手段の状態を判定するため、始動入賞球スイッチ２１Ｓ等によるパチンコ球の通過検出、および始動入賞球スイッチ２１Ｓ等の通電状態による配線７１ａ，ｂおよび７２ａ，ｂの断線検出やコネクタ７０ａ，７０ｂの抜け検出を確実に判定することが出来る。
【００６６】
また、本実施形態では、配線７１ａ，ｂおよび７２ａ，ｂの断線検出やコネクタ７０ａ，７０ｂの抜け検出があって異常が検出されると、異常報知ＬＥＤ１５ｂが発光してその旨が報知される。このため、遊技店は、この報知によって断線やコネクタ抜けが生じていることを容易に把握できるので、即座にこれに対応することが可能になる。
【００６７】
なお、上記実施形態の説明においては、判定手段を、メインＣＰＵ３１並びにコンパレータ８４によって構成し、コンパレータ８４および導通検出信号により、始動入賞球スイッチ２１Ｓ等によるパチンコ球の通過検出判定を行う構成について説明した。しかし、コンパレータ８４を設けることなく、メインＣＰＵ３１のみによって判定手段を構成し、始動入賞球スイッチ２１Ｓ等によるパチンコ球の通過検出判定を行うように構成してもよい。
【００６８】
また、電圧比較に用いるデバイスは、上記実施形態ではコンパレータ８４としたが、コンパレータに限らず、例えば、トランジスタ等によって同様な電圧比較回路を構成するようにしてもよい。
【００６９】
また、上記実施形態では、始動入賞球スイッチ２１Ｓとして４端子のものを用いた場合について説明したが、スイッチ内部の短絡を検出することが出来る５端子のスイッチを用いるようにしてもよい。
【００７０】
また、上記実施形態では、異常を検出すると、異常報知ＬＥＤ１５ｂによってその旨を報知する構成について説明したが、異常を検出した場合、必ずしも、異常報知をしなくてもよい。また、異常を検出した場合、呼び出しランプを点灯させたり、外部端子を通じてホールコンピュータに知らせるようにしてもよい。
【００７１】
また、上記実施形態では、５[Ｖ]の導通検出信号が入力されなくなった場合、コンパレータ８４の出力電圧にかかわらず、異常を検出するように構成した。しかし、５[Ｖ]の導通検出信号が入力されなくなった場合にも、メインＣＰＵ３１は、コンパレータ８４の出力電圧に応じた処理を実行するようにしてもよい。ただし、この場合、コンパレータ８４の出力電圧に応じた処理は、別の処理によって無効と扱うようにする。
【００７２】
上記の各構成によっても、上記実施形態と同様な作用効果が奏される。
【産業上の利用可能性】
【００７３】
上記実施形態では本発明をパチンコ機に適用した場合について説明したが、遊技球の通過を検出して遊技処理を行う他の遊技機にも同様に本発明を適用することが出来る。そして、この場合においても、上記実施形態と同様な作用効果が奏される。
【図面の簡単な説明】
【００７４】
【図１】従来のパチンコ機における遊技球検出回路の回路図である。
【図２】従来の遊技球検出回路の各部における接触不良発生時の信号変化を示すタイミングチャートである。
【図３】本発明の一実施形態によるパチンコ機の正面図である。
【図４】本発明の一実施形態によるパチンコ機の回路構成の概略を示すブロック図である。
【図５】本発明の一実施形態によるパチンコ機における遊技球検出回路の回路図である。
【図６】本発明の一実施形態による遊技球検出回路の各部における正常時の信号変化を示すタイミングチャートである。
【図７】本発明の一実施形態による遊技球検出回路の各部における接触不良発生時の信号変化を示すタイミングチャートである。
【符号の説明】
【００７５】
１０…パチンコ機
１５ｂ…異常報知ＬＥＤ
２０Ｓ…ゲートスイッチ
２１Ｓ…始動入賞球スイッチ
２１Ｌ…コイル
２２Ｓ…カウントスイッチ
２２Ｖ…Ｖカウントスイッチ
２３Ｓ…一般入賞球スイッチ
３０…主制御回路
３１…メインＣＰＵ
３１ａ…第１の入力ポート
３１ｂ…第２の入力ポート
４０…演出制御回路
４１…サブＣＰＵ
５２…ドライブ回路
６３…賞球カウントスイッチ
６４…貸球カウントスイッチ
７０ａ，７０ｂ…コネクタ
７１ａ，７１ｂ，７２ａ，７２ｂ…配線
８４…コンパレータ
【図１】
2005131275.tif 000003
【図２】
2005131275.tif 000004
【図３】
2005131275.tif 000005
【図４】
2005131275.tif 000006
【図５】
2005131275.tif 000007
【図６】
2005131275.tif 000008
【図７】
2005131275.tif 000009